(57)【特許請求の範囲】
【請求項１】
棟に形成したカバー部材と水切り部材とからなる棟換気部材であって、カバー部材は第１カバー部材と第２カバー部材と換気口カバー部材とを固定具により一体化したものであり、第１カバー部材の上方に、頭頂部分に換気口を設けた第２カバー部材を形成し、この喚起口の上方を覆って換気口カバー部材を形成し、第２カバー部材は断面凸状の両端を内側方に突出した換気面と、換気面に形成した流水口と、換気面の先端を下方に垂下した固定面とを形成したものであり、この第２カバー部材の固定面に前記水切り部材を固定してなる棟換気部材。
【発明の詳細な説明】
【０００１】
【発明の属する技術分野】
本発明は、家屋内の不浄な空気を効率よく換気できる棟換気部材に関するものである。
【０００２】
【従来の技術】
従来の棟換気部材は、全て頭頂から少し下がった左右に換気口を配置した構造であった。
【０００３】
【発明が解決しようとする課題】
しかしながら、このような換気構造は温度差を利用する棟換気としては効率が悪かった。
【０００４】
【課題を解決するための手段】
本発明はこのような欠点を除去するために、棟に形成したカバー部材と水切り部材とからなる棟換気部材であって、カバー部材は第１カバー部材と第２カバー部材と換気口カバー部材とを固定具により一体化したものであり、第１カバー部材の上方に、頭頂部分に換気口を設けた第２カバー部材を形成し、この喚起口の上方を覆って換気口カバー部材を形成し、第２カバー部材は断面凸状の両端を内側方に突出した換気面と、換気面に形成した流水口と、換気面の先端を下方に垂下した固定面とを形成したものであり、この第２カバー部材の固定面に前記水切り部材を固定してなる棟換気部材を提供するものであり、温度差を利用した棟換気の効率を最大限に発揮できる棟換気部材に関するものである。
【０００５】
【発明の実施の形態】
以下に、図面を用いて本発明に係る棟換気部材について詳細に説明する。図１は本発明に係る棟換気部材により形成した棟換気構造を示す断面図であり、家屋の棟の構造を示すものである。また、αは屋根下地、βは固定具である。
【０００６】
本発明に係る棟換気部材は、図２に示すような棟換気部材Ａよりなり、図３に示す水切り部材Ｂ、図４に示すようなカバー部材Ｃよりなるものである。
【０００７】
水切り部材Ｂは図２に示すようにカバー部材Ｃに固定具βにより一体に固定されるものである。
【０００８】
水切り部材Ｂは図３に示すように、略垂直平面状の垂直片１と、垂直片１の上端を傾斜して外方に突出した防水片２と、垂直片１の下端を外方に傾斜して突出した第１水切り片３と、第１水切り片３の先端近傍を下方に垂下した固定面４と、固定面４の下端を外方に傾斜して突出した第２水切り片５とから長尺状に形成したものである。勿論、使用時には左右に一本ずつ、計２本使用するものである。
【０００９】
カバー部材Ｃ図４に示すように、第１カバー部材Ｄと第２カバー部材Ｅと換気口カバー部材Ｆとからなり、これらを固定具βにより一体化したものである。また、防水片２は風雨が内部に浸入しないように形成したものである。さらに、第２水切り片５は棟換気部材Ａと屋根下地α間に隙間を形成しないように有る弾力を介して屋根下地αと接触するものである。
【００１０】
第１カバー部材Ｄは図５（ａ）に示すように、アール状の第１カバー片６と、第１カバー片６の両端を下方に垂下した端面７とから長尺状に形成したものである。端面７（第１カバー部材Ｄ）は風雨が内部に浸入しないように形成したものである。
【００１１】
第２カバー部材Ｅは図５（ｂ）に示すように、アール状の第２カバー片８と、第２カバー片８に一定ピッチで形成した換気口８ａと、第２カバー片８の両端を内側方に突出した換気面９と、換気面９に一定ピッチで形成した流水口１０と、換気面９の先端を下方に垂下した固定面１１とから長尺状に形成したものである。
【００１２】
第２カバー片８は、棟をカバーし、棟に形成した空間を閉塞し、風雨等が内部に浸入しないように形成したものである。
【００１３】
換気口８ａは主に汚れた空気、内部の湿った空気、等を外部に放出するために形成したものである。勿論、換気口８ａの形状は任意である。
【００１４】
流水口１０は、万が一に内部に入った雨水、家屋内部の湿気からくる結露水、等を外部に排出するために形成したものである。
【００１５】
換気口カバー部材Ｆは図６（ａ）に示すようにアール状の第３カバー片１２から長尺状に形成したものである。換気口カバー部材Ｆは第１カバー部材Ｄに形成した換気口８ａから雨水等が浸入しないように形成したものである。勿論、浸入した雨水等は、流水口１０から外部に排出されるものである。
【００１６】
図６（ｂ）〜（ｅ）は第２カバー部材Ｅを固定具βにより一体化するために使用する高さ調整部材Ｇであり、図４に示すように第１カバー部材Ｄと第２カバー部材Ｅ間、および第２カバー部材Ｅと換気口カバー部材Ｆ間に形成するものである。使用時には、第１カバー部材Ｄ（固定孔６ａ）、第２カバー部材Ｅ（固定孔８ｂ）、および換気口カバー部材Ｆ（固定孔１２ａ）間に高さ調整材Ｇを配し、高さ調整部材Ｇの空間Ｇ1 に固定具βを挿入して、ナット等の固定具βで固定して使用するものである。勿論、ボルト−ナット等の固定具βの他に、ビス、スクリュウネジ等の固定具βを使用することができるものである。
【００１７】
また、図７は第２カバー部材Ｅを下方から見た一部切り欠き斜視図であり、図に示すように換気口８ａ、流水口１０を３０ｍｍ〜３００ｍｍ位のピッチで形成するものである。
【００１８】
なお、固定孔６ａ、固定孔８ｂ、固定孔１２ａはピッチ１００ｍｍ〜１０００ｍｍで形成し、第１カバー部材Ｄ、第２カバー部材Ｅ、換気口カバー部材Ｆを一体化してカバー部材Ｄを形成するためのものである。
【００１９】
水切り部材Ｂ、カバー部材Ｃ（第１カバー部材Ｄ、第２カバー部材Ｅ、換気口カバー部材Ｆ）、高さ調整部材Ｇの素材としては、金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、押出成形等によって各種形状に成形したものである。なお、図に示す棟換気部材Ａはアルミ合金を押出成形により形成したものである。
【００２０】
また、防水片２間の幅を水切り部材Ｂ間の端面７間の幅よりも大きく形成し、第１カバー部材Ｄに付着した結露水、雨水、等を速やかに流水口１０より外部に排出できる構造としたものである。勿論、断面形状をアール状に形成することにより、速やかな水の流下を促進するものである。
【００２１】
図８（ａ）〜（ｃ）は固定具βを示す説明図である。
【００２２】
【発明の効果】
以上説明したように、本発明に係る棟換気部材によれば、棟換気の頭頂部分に換気口を設けたために、温度差を利用した棟換気の効率を最大限に発揮できる棟換気部材を形成できる。等の特徴、効果がある。
【図面の簡単な説明】
【図１】本発明に係る棟換気部材の施工状態を示す断面図である。
【図２】本発明に係る棟換気部材を示す断面図である。
【図３】水切り部材示す断面図である。
【図４】カバー部材示す断面図である。
【図５】第１カバー部材と第２カバー部材を示す断面図である。
【図６】換気口カバー部材と高さ調整部材を示す断面図である。
【図７】第２カバー部材を示す斜視図である。
【図８】固定具示す説明図である。
【符号の説明】
α  屋根下地
β  固定具
Ａ  棟換気部材
Ｂ  水切り部材
Ｃ  カバー部材
Ｄ  第１カバー部材
Ｅ  第２カバー部材
Ｆ  換気口カバー部材
Ｇ  高さ調整部材
Ｇ1   空間
２  防水片
３  第１水切り片
４  固定面
５  第２水切り片
６  第１カバー片
６ａ  固定孔
７  端面
８  第２カバー片
８ａ  換気口
８ｂ  固定孔
９  換気面
１０  流水口
１１  固定面
１２  第３カバー片
１２ａ  固定孔
【図１】
0004130948.tif 000002
【図２】
0004130948.tif 000003
【図３】
0004130948.tif 000004
【図４】
0004130948.tif 000005
【図５】
0004130948.tif 000006
【図６】
0004130948.tif 000007
【図７】
0004130948.tif 000008
【図８】
0004130948.tif 000009